(57)【要約】      （修正有）【課題】保守点検時におけるかごの固定時に、支持部に過大な負荷を作用させることがなく、また、その固定作業を容易に行うことができるエレベータのかご固定装置を得る。【解決手段】エレベータ昇降路内を昇降するかごと、このかご及び昇降路の固定体２の何れか一方に設けられた係合子３８と、かご及び固定体の何れか他方に設けられ、係合子に係合してかごを昇降路内に固定する固定具２０とを備え、固定具は、上下方向に位置調整自在に設けられ、かごの固定時に係合子に上方から係合する上側係止体３３と、上下方向に位置調整自在に設けられ、かごの固定時に係合子に下方から係合する下側係止体３１，３２とを有する。【選択図】図４
2006273456.tif 000002
【特許請求の範囲】
【請求項１】
エレベータ昇降路内を昇降するかごと、このかご及び前記昇降路の固定体の何れか一方に設けられた係合子と、前記かご及び前記固定体の何れか他方に設けられ、前記係合子に係合して前記かごを前記昇降路内に固定する固定具とを備え、前記固定具は、上下方向に位置調整自在に設けられ、前記かごの固定時に前記係合子に上方から係合する上側係止体と、上下方向に位置調整自在に設けられ、前記かごの固定時に前記係合子に下方から係合する下側係止体とを有することを特徴とするエレベータのかご固定装置。
【請求項２】
係合子又は固定具は、かごの両側にそれぞれ設けられたことを特徴とする請求項１に記載のエレベータのかご固定装置。
【請求項３】
昇降路の固定体はかご用ガイドレールであり、係合子又は固定具は、前記かご用ガイドレールを間に挟んでその両側に設けられたことを特徴とする請求項１又は請求項２に記載のエレベータのかご固定装置。
【請求項４】
上側係止体と下側係止体とは、共に係合子の上方及び下方の何れか一側から位置調整自在であることを特徴とする請求項１から請求項３の何れかに記載のエレベータのかご固定装置。
【請求項５】
上側係止体と下側係止体とは、球面座機構により係合子を上下方向から係止することを特徴とする請求項１から請求項４の何れかに記載のエレベータのかご固定装置。
【請求項６】
係合子と固定具との係合状態を検出する第一検出スイッチが設けられたことを特徴とする請求項１から請求項５の何れかに記載のエレベータのかご固定装置。
【請求項７】
係合子は、かご上部及び昇降路上部の固定体の何れか一方に、固定具は、前記かご上部及び昇降路上部の前記固定体の何れか他方にそれぞれ設けられたことを特徴とする請求項１から請求項６の何れかに記載のエレベータのかご固定装置。
【請求項８】
エレベータ巻上機及びエレベータ制御盤が昇降路内に設けられたことを特徴とする請求項１から請求項７の何れかに記載の機械室レスエレベータのかご固定装置。
【請求項９】
固定具は、かご及び昇降路の固定体の何れか他方に回動自在に設けられたレバー本体と、このレバー本体に螺嵌されたネジ棒とを備え、上側係止体及び下側係止体の少なくとも一方は、前記ネジ棒に螺嵌されて前記ネジ棒の軸に対して位置調整自在に設けられたことを特徴とする請求項１から請求項８の何れかに記載のエレベータのかご固定装置。
【請求項１０】
下側係止体は、ネジ棒に遊貫された一対の球面座と、この球面座の下方に配置され、前記ネジ棒に螺嵌されたストッパナットとを備えたことを特徴とする請求項９に記載のエレベータのかご固定装置。
【請求項１１】
固定具は、レバー本体の回動を係止するレバーストッパと、このレバーストッパによる前記レバー本体の係止状態を検出する第二検出スイッチとを備えたことを特徴とする請求項９又は請求項１０に記載のエレベータのかご固定装置。
【発明の詳細な説明】
【技術分野】
【０００１】
この発明は、エレベータ、その中でも特に機械室レスエレベータの保守点検作業時にエレベータのかごを昇降路内に固定するかご固定装置に関するものである。
【背景技術】
【０００２】
エレベータ昇降路上方に機械室が設置されていない機械室レスエレベータでは、通常、エレベータ巻上機やエレベータ制御盤等といった従来機械室に設置されていたエレベータ機器類を昇降路内に配置している。このため、エレベータ保守員は、昇降路内を昇降するかごの上面に乗って昇降路内に配置されたエレベータ機器類の保守点検を行う必要があり、かかる保守員の安全を確保するため、かごを昇降路内に固定するかご固定装置がかご及び昇降路の固定体に備えられている。
【０００３】
また、かかるかご固定装置の従来技術として、かごの上部に設けられた操作機構と、かご用ガイドレールに設けられた固定機構とを有し、操作機構に備えられたロック棒の長手方向端部を固定機構のロック棒挿入孔に挿入することにより、かごをかご用ガイドレールに確実に固定するものが提案されている（例えば、特許文献１参照）。
【０００４】
【特許文献１】特開２０００−２０３７７４号公報
【発明の開示】
【発明が解決しようとする課題】
【０００５】
特許文献１記載のエレベータのかご固定装置では、かごを固定する際、かごに取り付けられたロック棒をその長手方向に移動させてかご用ガイドレールに固定された固定機構のロック棒挿入孔に挿入するため、ロック棒とロック棒挿入孔との高さを正確に合わせてかごを停止させなければならず、作業性が悪いという問題があった。また、上記構造では、固定作業を急ぐあまりかごの停止寸前にロック棒をロック棒挿入孔に挿入してしまい、かごがロック棒挿入後に惰性で動いてしまうこともある。かかる場合には、ロック棒とロック棒挿入孔との係合部に過大な荷重及び衝撃が作用してしまい、ロック棒を支持するかご枠に歪みが生じたり、固定機構を支持するかご用ガイドレールの支持精度が悪化したりする等して、補修や調整等の新たな作業が強いられることとなっていた。
【０００６】
この発明は、上述のような課題を解決するためになされたもので、その目的は、保守点検時におけるかごの固定時に、支持部に過大な負荷を作用させることがなく、また、その固定作業を容易に行うことができるエレベータのかご固定装置を提供することである。
【課題を解決するための手段】
【０００７】
この発明に係るエレベータのかご固定装置は、エレベータ昇降路内を昇降するかごと、このかご及び昇降路の固定体の何れか一方に設けられた係合子と、かご及び固定体の何れか他方に設けられ、係合子に係合してかごを昇降路内に固定する固定具とを備え、固定具は、上下方向に位置調整自在に設けられ、かごの固定時に係合子に上方から係合する上側係止体と、上下方向に位置調整自在に設けられ、かごの固定時に係合子に下方から係合する下側係止体とを有するものである。
【発明の効果】
【０００８】
この発明は、エレベータ昇降路内を昇降するかごと、このかご及び昇降路の固定体の何れか一方に設けられた係合子と、かご及び固定体の何れか他方に設けられ、係合子に係合してかごを昇降路内に固定する固定具とを備え、固定具は、上下方向に位置調整自在に設けられ、かごの固定時に係合子に上方から係合する上側係止体と、上下方向に位置調整自在に設けられ、かごの固定時に係合子に下方から係合する下側係止体とを有する構成としたことで、保守点検時におけるかごの固定時に、支持部に過大な負荷を作用させることがなく、また、その固定作業を容易に行うことができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータ装置の平面図、図２はその側面図である。図１及び図２において、エレベータ昇降路１内には、互いに対向する一対のかご用ガイドレール２が備えられ、その一方はエレベータ乗場３から見て右側の昇降路壁１ａの中央部に、他方は昇降路壁１ａに対向する昇降路壁１ｂから所定の距離離れたその中央部にそれぞれ立設されている。そして、昇降路１内を昇降するエレベータのかご４は、両側上下部にそれぞれ設けられたガイドシュー４ａがかご用ガイドレール２に係合することにより、その水平方向の移動が制限されて昇降方向が案内されている。このかご４は、略四角環状を呈するかご枠４ｂの下枠４ｃにかご床４ｄが支持されており、このかご床４ｄ上にエレベータ利用者が乗車するかご室４ｅが形成されている。また、かご４の両側下部にかご吊車支持枠５を介してそれぞれ回動可能に斜設されたかご吊車６は、一方はかご用ガイドレール２より奥側に、他方はかご用ガイドレール２よりも乗場３側に設けられており、各外周面に形成された綱溝が鉛直投影面上略一直線状となるように、それぞれ配置されている。なお、７はかご４の直下部となる昇降路１底面に立設され、かご４が万一昇降路１底面に衝突した場合にその衝撃を緩和させるかご用緩衝器を示したものである。
【００１１】
かご４とは逆方向に昇降路１内を昇降する釣合い重り８は、鉛直投影面上、かご４と昇降路壁１ｂとの間に形成された間隙内に配置されている。この釣合い重り８の乗場３側及び昇降路１奥側には、釣合い重り８を間に挟んで互いに対向する一対の釣合い重り用ガイドレール９が立設されている。そして、上記釣合い重り８は、両側上下部にそれぞれ設けられたガイドシュー（図示せず）が釣合い重り用ガイドレール９に係合することにより、その水平方向の移動が制限されて昇降方向が案内されている。また、釣合い重り８の上部に回動自在に設けられた釣合い重り吊車８ａは、回動軸が昇降路壁１ｂに対して直交するように配置されている。なお、１０は釣合い重り８の直下部となる昇降路１底面に立設され、釣合い重り８が万一昇降路１底面に衝突した場合にその衝撃を緩和させる釣合い重り用緩衝器を示したものである。
【００１２】
上記かご４及び釣合い重り８が昇降する昇降路１の頂部には、所定の間隔を有して略平行に配置された支持梁１１ａ及び１１ｂが、両側の昇降路壁１ａ及び１ｂ間に渡って設けられている。乗場３側の支持梁１１ａと奥側の支持梁１１ｂとの間には、昇降路壁１ａ側にかご側綱止め梁１２が設けられ、また、昇降路壁１ｂ側に、各支持梁１１ａ及び１１ｂに設けられた吊金１３ａ及び１３ｂを介して巻上機台１４が支持されている。この巻上機台１４には、釣合い重り８の直上部に、モータ１５ａ、減速機１５ｂ及び駆動綱車１５ｃから構成される巻上機１５が設置されており、駆動綱車１５ｃの回動軸が、釣合い重り吊車８ａと同様に昇降路壁１ｂに対して略直交するように配置されている。
【００１３】
また、巻上機台１４には、巻上機１５の昇降路１奥側に隣接して釣合い重り側綱止め部１６が設けられている。この釣合い重り側綱止め部１６に一端部が弾性的に支持された主索１７は、一端部側から、釣合い重り吊車８ａ、駆動綱車１５ｃ、２つのかご吊車６に順次巻き掛けられて、その他端部がかご側綱止め梁１２に設けられたかご側綱止め部１８に弾性的に支持されている。即ち、かご４と釣合い重り８とは、主索１７により２：１ローピング方式で懸吊されており、巻上機１５の駆動綱車１５ｃの回動に連動して主索１７が移動することにより、昇降路１内を互いに逆方向に昇降するように構成されている。
【００１４】
なお、１９は、昇降路１頂部の奥側の昇降路壁１ｃに設けられ、かご４の昇降やドアの開閉等、エレベータ装置全般の制御を司る制御盤を示したものである。
【００１５】
次に、エレベータ保守点検時にかご４を昇降路１内に固定するかご固定装置の構成について説明する。図３はこの発明の実施の形態１におけるエレベータのかご固定装置の正面図、図４はその側面図、図６はその平面図であり、図５は図４におけるＢ−Ｂ矢視図、図７はかご固定装置の要部詳細図を示したものである。図１乃至図７において、エレベータ保守点検時等にかご４を昇降路１内の所定の位置に固定して停止させるかご固定装置は、昇降路１の固定体であるかご用ガイドレール２の上部に設けられた固定体側固定手段２０（固定具）と昇降路１内を昇降するかご４の上部に設けられたかご側固定手段２１とから構成されている。
【００１６】
上記固定体側固定手段２０は、昇降路１頂部に配置されたかご用ガイドレール２の背面にレールクリップ２２を介して固定された支持板２３と、この支持板２３の下部にその下端部が回動自在に固定されて上部がかご４側に傾倒するかご固定レバー２４と、支持板２３の上部に設けられ、かご固定レバー２４の不使用時にかご固定レバー２４の上部を係止してその回動を制止するレバーストッパ、及び、このレバーストッパによるかご固定レバー２４の係止状態を検出する検出スイッチ２５（第二検出スイッチ）が設けられたレバー支持部２６とが備えられている。
【００１７】
上記かご固定レバー２４は、レバー本体２７の下端部が、支持板２３の一側下部に設けられた支持体２８に円柱状を呈する支持ピン２９を介して回動自在に固定されており、この支持ピン２９の回動軸が昇降路壁１ａの壁面に沿って水平に配置されることにより、かご４側に傾倒するように構成されている。また、レバー本体２７の上部には後述するネジ棒３０の取付穴２７ａが形成されている。この取付穴２７ａは、その上部に所定の長さを有するネジ孔部２７ｂが形成され、このネジ孔部２７ｂの下方にネジ孔部２７ｂに連続して遊び穴部２７ｃが形成されている。なお、取付穴２７ａは、別部材に上記ネジ孔部２７ｂと遊び穴部２７ｃとを形成し、レバー本体２７の所定位置にこの別部材を取り付けるようにして設けても良い。
【００１８】
また、上記ネジ孔部２７ｂに下端部が螺嵌してレバー本体２７の上方に立設されたネジ棒３０は、下端部側から、ネジ棒３０に螺嵌されてネジ棒３０の軸方向に位置調整自在に設けられた多角形状を呈するストッパナット３１と、ネジ棒３０がその中空部を遊貫してストッパナット３１の上面に載置された一対の球面座３２とから構成される下側係止体、並びに、ネジ棒３０に螺嵌されてネジ棒３０の軸方向に位置調整自在に設けられ、その下面が球面形状を呈する固定ナット３３からなる上側係止体が配置され、その上端部に、多角形状を呈するネジ頭３４が設けられている。
【００１９】
なお、レバー本体２７の側面には、レバー本体２７の傾倒側、即ち、かご４側に検出子３５ａが突出するように配置された検出スイッチ３５（第一検出スイッチ）が設けられている。
【００２０】
また、上記レバー支持部２６には、略Ｌ字状を呈するブラケット３６が、その一側面がかご４側に突出するように支持板２３の一側上部に設けられている。そして、このブラケット３６には、その一側面にかご固定レバー２４の傾倒を係止するストッパボルト３７が、また、他側面にストッパボルト３７によるかご固定レバー２４の係止状態を検出する検出スイッチ２５が設けられている。ここで、ストッパボルト３７は、ブラケット３６の一側面に形成されたネジ穴にそのネジ部３７ａが螺嵌されてその長手方向に進退自在に設けられており、ネジ頭を回転させて長手方向一側に移動させることにより、その先端部３７ｂがかご固定レバー２４の傾倒経路内に進入してかご固定レバー２４を係止するように構成されている。また、ストッパボルト３７のネジ部３７ａ及び先端部３７ｂの間となる中間部には、テーパ状のカム３７ｃが設けられている。
【００２１】
一方、ブラケット３６の他側面に固定されてストッパボルト３７の上方に設けられた上記検出スイッチ２５は、下方に突出する検出子２５ａが、ストッパボルト３７がその長手方向に進退する際にカム３７ｃに係合するように配置されている。即ち、かご固定レバー２４の係止状態が解除されるまでストッパボルト３７を長手方向他側に移動させることにより、上記検出子２５ａがカム３７ｃの傾斜面に案内されて上方に移動し、検出位置に到達する。かかる構成により、かご固定レバー２４の係止状態を検出スイッチ２５によって検出することが可能となる。
【００２２】
また、上記かご側固定手段２１には、かご用ガイドレール２の頂部に設けられた固定体側固定手段２０と対向するようにかご枠４ｂの縦枠４ｆ上端部に設けられ、かご４の固定時にかご固定レバー２４が係合する係合子３８と、かご枠４ｂの縦枠４ｆに設けられ、かご４の固定時にレバー本体２７に設けられた検出スイッチ３５の検出子３５ａが係合する係合子３９とが備えられている。ここで、上記係合子３８は略直方体状を呈しており、その下面に、対向する固定体側固定手段２０側に向かうに従って上方に傾斜する傾斜面３８ａが形成されている。また、係合子３８は、固定体側固定手段２０に対向するその一側面に、上下に渡って所定の幅を有する係合溝３８ｂが形成されるとともに、この係合溝３８ｂにより固定体側固定手段２０側に開口する係合孔３８ｃが、上面から下面に渡って所定深さ設けられている。なお、係合孔３８ｃは、その上縁部が球面状を呈している。
【００２３】
次に、上記記載の構成を有するかご固定装置を使用してかご４を昇降路１内に固定する方法について説明する。巻上機１５及び制御盤１９が昇降路１の頂部に配置された機械室レスエレベータの保守点検時に、かご固定装置を使用してかご４を昇降路１内に固定する場合、エレベータ保守員は、先ず、かご用ガイドレール２の頂部に設けられた固定体側固定手段２０とかご４の上部に設けられたかご側固定手段２１とが略同高さとなるような所定の位置にかご４を停止させる。
【００２４】
そして、かご４の上面において固定体側固定手段２０のストッパボルト３７のネジ頭を回転させてその長手方向他側に移動させ、かご固定レバー２４の係止状態を解除する。ここで、ストッパボルト３７を長手方向他側に移動させることにより、検出スイッチ２５によりかご固定レバー２４の係止状態が解除されたことが検出されると、制御盤１９は、検出スイッチ２５から入力される信号に基づいて、保守作業中の保守員の感電事故を防止するためエレベータの移動を電気的に停止させる。次に、かご４上の保守員は、かご固定レバー２４を手前側、即ち、かご４側に傾倒し、かご側固定手段２１の係合子３８に形成された係合孔３８ｃ内にネジ棒３０を配置する。この時、球面座３２が係合子３８の下方、また、固定ナット３３が係合子３８の上方となるように配置する。
【００２５】
そして、作業員は、かご４上からネジ棒３０のネジ頭３４を持ってネジ棒３０をレバー本体２７から抜く方向に回転させることにより、一対の球面座３２を係合子３８に下方から係合させる。ここで、係合子３８下面の傾斜面３８ａは、かご４を所定位置に停止させてかご固定レバー２４を傾斜させた際に、ネジ棒３０と略直交するように形成されている。即ち、球面座３２を上方に移動させることにより、球面座３２の上面全体が係合子３８の下面に密着する。
【００２６】
次に、保守員は、かご４上から固定ナット３３を一側に回転させて下方に移動させることにより、固定ナット３３を係合子３８に上方から係合させる。この時、球面形状を呈する固定ナット３３の下部を同じく球面形状を呈する係合穴３８ｃの上縁部に係合させる。そして、球面座３２及び固定ナット３３により係合子を上下方向から挟持するように固定ナット３３を締め付け、固定体側固定手段２０をかご側固定手段２１に強固に固定する。なお、検出スイッチ３５は、かご固定レバー２４がかご４側に傾倒された際に検出子３５ａが係合子３９に係合するように配置されており、ネジ棒３０が係合子３８の係合穴３８ｃ内に配置された際に検出子３５ａが検出位置に到達して、かご固定レバー２４と係合子３８との係合状態を検出することができるように構成されている。
【００２７】
この発明の実施の形態１によれば、固定ナット３３及び球面座３２が、ネジ棒３０の軸に対して上下方向に位置調整自在に構成されているため、かご固定装置を使用してかご４をかご用ガイドレール２に固定する際、かご４を所定位置に完全に停止させた後に、固定ナット３３及び球面座３２をそれぞれ下方及び上方に移動させて係合子３８の上方及び下方から係合させることができる。したがって、かご４の停止位置の許容誤差を大きくとることが可能となり、作業性に優れる。また、固定ナット３３及び球面座３２は、球面座機構により係合子３８を上方及び下方から係止しているため、固定時にレバー本体２７はかご枠４ｂやかご用ガイドレール２に対して過大な負荷を作用させることはなく、かご４が何らかの影響で予想外の動きをした場合でも、作用する荷重及び衝撃を確実に支持して、かご４の上面で作業を行っている保守員の安全を確実に確保することが可能となる。
【００２８】
また、球面座３２を係合子３８に下方から係合させる作業と、固定ナット３３を係合子３８に上方から係合させる作業とを係合子３８の上方から行うことができるため、保守員は、かご４をかご用ガイドレール２に固定する際の全ての作業をかご４上面において実施することが可能となり、作業性に優れる。なお、実施の形態１のようにかご４の上面から固定作業を行う場合には、ストッパナット３１をネジ棒３０に一体化させたものでもこの発明と同様の効果を奏することは可能である。また、ネジ棒３０をレバー本体２７から抜く方向に回転させて球面座３２を係合子３８に下方から係合させる際にネジ棒３０がレバー本体２７から完全に抜けてしまうことを防止するため、例えば、遊び穴部２７ｃ内まで延長させたネジ棒３０の先端部に抜け防止機構を備えても良い。
【００２９】
この発明の実施の形態１においては、昇降路壁１ａ側に立設された１つのかご用ガイドレール２の一側に固定体側固定手段２０を設けた場合について説明したが、かご４の両側にかご側固定手段２１をそれぞれ設けるとともに、対向するかご用ガイドレール２のそれぞれに固定体側固定手段２０を設けるようにして、作用する負荷を各かご用ガイドレール２に分散させるような構成としても良い。また、かご用ガイドレール２を間に挟んでその両側に固定体側固定手段２０を設置し、各かご用ガイドレール２に対して均等に負荷が作用するように配置しても良い。かかる場合には、かご用ガイドレール２の両側に配置されたかご固定レバー２４を１つの支持ピン２９で回動可能に支持することにより、双方を連動させて作業性を向上させることも可能である。
【００３０】
また、上記固定体側固定手段２０と上記かご側固定手段２１との位置を入れ替えても良い。即ち、かご４及び昇降路１の固定体の何れか一方に係合子３８を設け、かご４及び昇降路１の固定体の何れか他方に、係合子３８に係合してかご４を昇降路１内に固定する上記固定体側固定手段２０のような構成を有する固定具を設けることにより、この発明と同様の効果を奏することが可能である。
【００３１】
また、かご固定装置を実施の形態１とは上下逆向きに構成することにより、下方からの作業によりかご４を昇降路１の固定体に固定することができるようになることは言うまでもない。
【００３２】
なお、この発明にかかるかご固定装置の適用は、巻上機１５や制御盤１９等のエレベータ機器類が昇降路１内に設けられた機械室レスエレベータ装置に限定されるものではないが、機械室レスエレベータ装置では、エレベータ機器類が昇降路１の頂部に設けられることが多いため、かご４の上部と昇降路１頂部の固定体とにかご固定装置を設けることにより、かご４の上面において昇降路１頂部とかご４上面とに設置された機器類の保守作業を行うことが可能となり、特に有効な手段となる。
【図面の簡単な説明】
【００３３】
【図１】この発明の実施の形態１におけるエレベータ装置の平面図である。
【図２】この発明の実施の形態１におけるエレベータ装置の側面図である。
【図３】この発明の実施の形態１におけるエレベータのかご固定装置の正面図である。
【図４】この発明の実施の形態１におけるエレベータのかご固定装置の側面図である。
【図５】図４におけるＢ−Ｂ矢視図である。
【図６】この発明の実施の形態１におけるエレベータのかご固定装置の平面図である。
【図７】この発明の実施の形態１におけるエレベータのかご固定装置の要部詳細図である。
【符号の説明】
【００３４】
１  昇降路、  １ａ，１ｂ，１ｃ  昇降路壁、  ２  かご用ガイドレール、  ３  乗場、  ４  かご、  ４ａ  ガイドシュー、  ４ｂ  かご枠、  ４ｃ  下枠、  ４ｄ  かご床、  ４ｅ  かご室、  ４ｆ  縦枠、  ５  かご吊車支持枠、  ６  かご吊車、  ７  かご用緩衝器、  ８  釣合い重り、  ８ａ  釣合い重り吊車、  ９  釣合い重り用ガイドレール、  １０  釣合い重り用緩衝器、  １１ａ，１１ｂ  支持梁、  １２  かご側綱止め梁、  １３ａ，１３ｂ  吊金、  １４  巻上機台、  １５  巻上機、  １５ａ  モータ、  １５ｂ  減速機、  １５ｃ  駆動綱車、  １６  釣合い重り側綱止め部、  １７  主索、  １８  かご側綱止め部、  １９  制御盤、  ２０  固定体側固定手段、  ２１  かご側固定手段、  ２２  レールクリップ、  ２３  支持板、  ２４  かご固定レバー、  ２５，３５  検出スイッチ、  ２５ａ，３５ａ  検出子、  ２６  レバー支持部、  ２７  レバー本体、  ２７ａ  取付穴、  ２７ｂ  ネジ孔部、  ２７ｃ  遊び穴部、  ２８  支持体、  ２９  支持ピン、  ３０  ネジ棒、  ３１  ストッパナット、  ３２  球面座、  ３３  固定ナット、  ３４  ネジ頭、  ３６  ブラケット、  ３７  ストッパボルト、  ３７ａ  ネジ部、  ３７ｂ  先端部、  ３７ｃ  カム、  ３８，３９  係合子、  ３８ａ  傾斜面、  ３８ｂ  係合溝、  ３８ｃ  係合孔
【図１】
2006273456.tif 000003
【図２】
2006273456.tif 000004
【図３】
2006273456.tif 000005
【図４】
2006273456.tif 000006
【図５】
2006273456.tif 000007
【図６】
2006273456.tif 000008
【図７】
2006273456.tif 000009